(57)【要約】      （修正有）【課題】  照明器具やサイクルメータ、ベル、バックミラー、変速機制御装置などの用品を使いよい形態に得ることが出来、かつ、手のひらマッサージ用部位も設けたロードタイプ自転車用の用品取り付け用装置を提供する。【解決手段】  用品を使いよい形態とする用品取り付け用装置１は、マッサージ用部品１６で覆う球体状部位６、ハンドルパイプと同じ太さのベル取り付け用円柱状部位８、ハンドルパイプに入る太さの円柱状挿入部位５の連続する形状からなるＬ字型部品３の先端５に、円柱状勘合部品７を嵌合させ、長ボルト、変形ナットで連結し、連結状挿入部位２０を形成し、さらに、５の先端の雌ネジ孔１９に複数の貫通孔を設けた厚型ステー２１を設け、２１の貫通孔にはスイッチ部品、短パイプ状部品、平ステー、直角ステーをネジ、ナットで設ける構成である。前記連結状挿入部位２０をハンドル末端部に挿入固定し、用品を１に取り付ける。【選択図】 なし【特許請求の範囲】
【請求項１】
(イ)      小型突起１６aを複数設けたマッサージ用部品１６で覆う球体状部位６には、ハンドルパイプと同じ太さのベル取り付け用の円柱状部位８と半球状部位９が連続してなり、その先端９から８にかけて内部に雌ネジ孔１９を設け、さらに、球体状部位６からは８とは直角向きに、先端部を斜めカット状の面５としたハンドルパイプに入る太さの円柱状挿入部位４が連続してなり、６から８にかけて内部に貫通孔１８を設けた形態のＬ字型部品３と、
(ロ)      片側一方の先端部に斜めカット状の面５を設け、もう一方の先端部に変形ナット回り止め凹部２６を設け、さらに内部に貫通孔１８を設けたハンドルパイプに入る太さの円柱状勘合部品７と、
(ハ)      その３と７のカット面５同士を嵌合させ、長ボルト１０を３の６側貫通孔１８、ついで７の貫通孔１８へも貫通させ、変形ナット１４で連結し形成させた連結状挿入部位２０と、
(ニ)      さらに、Ｌ字型部品３の半球状部位９の雌ネジ孔１９に、複数の貫通孔１８を設けた厚型ステー２１の回動軸部位の貫通孔１８aをあわせ、ネジ１２で連結し、さらに、２１の貫通孔１８に弾性ステー２５と接続用配線コード２８を設けたスイッチ部品２４をネジ１２、ワッシャ１３で設け、
(ホ)      さらに、厚型ステー２１の貫通孔１８には、平ステー２２、直角ステー３０を設け、さらに、平ステー２２、直角ステー３０および厚型ステー２１の貫通孔１８に対し、ハンドルパイプと同じ太さの短パイプ状部品２３をネジ１２、ワッシャ１３で設けてなる装置
以上のごとく構成されたロードタイプ自転車用の用品取り付け用装置１。
【請求項２】
（イ)    ハンドルパイプと同じ太さのパイプ部位１７を形成し、さらにその一方の先端には貫通孔１８を設けたステーを設け、さらにもう一方の先端には
ステー付パイプ部品凹２９aのパイプ部位１７内にちょうど挿入できる太さの幅調節用パイプ部位２９ｃを設けたステー付パイプ部品凸２９ｂと、
（ロ)    ハンドルパイプと同じ太さのパイプ部位１７を形成し、一方の先端にのみ、貫通孔１８を設けたステーを設けたステー付パイプ部品凹２９aは、
（ハ)    その２９aのパイプ部位１７末端部の空洞部に、２９ｂの２９ｃを挿入して連結状パイプ部品２９と成り、
（ニ)    この連結状パイプ部品２９の両側に前記請求項１記載の用品取り付け用装置１を左右一個ずつ配置し、連結状パイプ部品２９両端のステー
（ホ)    にそれぞれの厚型ステー２１の貫通孔１８を合わせ、ネジ１２、ナット１３、往来ナット１５によって連結してなる装置
以上のごとく構成されたロードタイプ自転車用の用品取り付け用装置２。
【請求項３】
請求項１記載の用品取り付け用装置１の連結状挿入部位２０をハンドル末端部に挿入し、長ネジ１０で固定し設けた自転車ハンドル。
【請求項４】
請求項２記載の用品取り付け用装置２の２つの連結状挿入部位２０を、両方のハンドル末端部６０に挿入し、長ネジ１０で固定し設けた自転車ハンドル。
【発明の詳細な説明】
【技術分野】
【０００１】
本発明は、照明器具、サイクルコンピューター、ベル、バックミラー、変速機制御装置などの用品を使いよい形態に得ることが出来、さらに手のひらマッサージ部位も有する自転車の用品取り付け用装置に関する。
【背景技術】
【０００２】
従来、ロードタイプ自転車には、ドロップハンドルを設けたロードタイプ自転車（以下、これをドロップハンドル車４６と記す）と、ハンドル両端が前方に張り出す形態の変形ハンドルを設けたロードタイプ自転車（以下、これを変形ハンドル車４７と記す）がある（図２９、図３０、図３１参照）。
【０００３】
またさらに、ドロップハンドル車４６および変形ハンドル車４７の上部ハンドルバーには、ＤＨバーまたはダウンヒルバー、あるいはフロントバーと呼ばれるハンドル部品（以下、これらを統一してＤＨバー５６と記す）を設けることもある（図３１参照）。
【０００４】
従来、デレィラーと呼ばれる変速機は、変速機制御装置で操作する。
ロードタイプ自転車の変速機制御装置の種類には、車体フレーム前部に設けられるレバー操作式タイプ、ハンドルグリップ端６０先端に操作レバーが設けられるタイプ、さらにはハンドル装着されるブレーキレバーの支持部品に一体構造化して設けられるワイヤー式レバー操作タイプまたは電気式ボタン操作タイプがある（以下、これらを統一して変速機制御装置４３と記す）。
【０００５】
従来、心拍数計測や距離速度計測、ストップウォッチといった機能を持つサイクルコンピューターと呼ばれる自転車用測定機器（以下これらをサイクルコンピューター３１と記す）は、上部ハンドルバー部５５またはハンドルステム５１上部に装着される。
【０００６】
従来、ロードタイプ自転車に装着されるベル３２は、一般的にハンドルステム５１上側面部の位置となっている。
【０００７】
従来、ロードタイプ自転車に取り付ける照明器具には、ハンドルパイプ装着式のタイプ、フロントタイヤハブ装着式のタイプ、ダイナモ発電機と一体化しフロントフォークに装着するタイプ、フロントキャリアステーに装着するタイプ、前輪泥除けフェンダー先端部に装着するタイプ、フロントタイヤハブに装着するタイプなどがある。また上記の照明器具の電源は、照明部とは別個にしていることもある。この場合電源部分はフレームに取り付けて配線にて照明器具に接続される。
【０００８】
従来、ロードタイプ自転車では、ミラー部を横に張り出させて固定するタイプのバックミラー３７がある。また、フロントタイヤのハブに固定するタイプのバックミラーもある。
【０００９】
さらにバックミラーに関していえば、一部ユーザーのなかには、一般自転車用バックミラー３８をロードタイプ自転車の上部ハンドルバーに取り付けている例も見かける。
【００１０】
ロードタイプ自転車の走行では、より速い速度を得るために上体を深く前傾させ、両手で下部ハンドルを握って走行することが多い。コーナリング時、ブレーキング時に於いてもこの体勢をとることが多い。
【００１１】
ロードタイプ自転車の乗車員は、呼吸を整えたい時、およびリラックスした走行をしたい時、なるべく上体を起こして上部ハンドルバー５５を握って走行する。
【発明の開示】
【発明が解決しようとする課題】
【００１２】
上記０００２に示すロードタイプ自転車群には、以下のような問題点があった（図２９、図３０、図３１参照）。
下部ハンドルグリップ５４を握る走行姿勢を長く続けると、上体の荷重が手に多くかかるため、圧迫されて手のひらが痛くなったりした。
【００１３】
サイクルコンピューター３１、ハンドルパイプ装着式照明器具３５、リフレクター４３などの用品を上部ハンドルバー５５に装着した場合、その握り範囲が減少していた。
【００１４】
また、上部ハンドルバー５５に装着したサイクルコンピューター３１やハンドルパイプ装着式照明器具３５、さらにハンドルステム５１の上側面部に設けられたベル３２は、下部ハンドルグリップ部５４から離れた位置であるため、片手運転での操作が要求された。
【００１５】
また、電源およびスイッチを内蔵するタイプの照明器具は、フロントフォーク部、前部キャリア、フロントタイヤハブ、フロントタイヤフェンダーなどに装着された場合、走行中での機器操作が非常に不便なものであった。
【００１６】
また、上記００１５に示した装着位置に設けた照明器具は、夜間の照明点灯時には前輪タイヤ４８の大きな陰影が前方に出来てしまい、照明効率が落ちていた。また、上記００１５に示した照明器具群は、前輪タイヤ４８近くの位置のため、雨天走行時には泥水によってすぐ照明部が汚れるものであった。
【００１７】
従来、ベル３２の位置はハンドルステム５１上側面部であって、ブレーキレバー５８および下部ハンドルグリップ部５４から離れている。そのため、両手で下部グリップ５４を握ったままベルレバー３３の操作が出来なかった。当然ベルレバー３３の操作時は、いつも不安定な片手運転を強いられていた。
【００１８】
また、ベルは下部ハンドルグリップ５４から離れた位置のため、ベル操作の直前直後ではブレーキングとの連係も大変悪く、突然の危険回避時には特に慌てていた。ここで言う突然の危険回避時とは、具体的には人や車との接触を避けることに対応する場面をさす。この時、乗車員はベル操作と制動動作、さらにハンドル操作をほぼ同時期に行う必要にみまわれる。
【００１９】
しかしながら上記００１７、００１８の内容に示すとおり、配置上これらをすべて同時期に行うことは困難であり、およそ乗車員はハンドリングおよび急制動操作による緊急回避で対応するのみで精一杯という現状である。
【００２０】
つまり危険回避的な場面ほどベルを鳴らす余裕がないものであり、乗車員は当然大変慌てていた。これはロードタイプ自転車の長年解決されない重大な問題となっていた。
【００２１】
従来、上部ハンドルバー５５に装着したサイクルコンピューター３１は、目と距離が近過ぎるため、逆に表示画面が見にくかった。また、走行中、間違いのないよう真下に位置するサイクルコンピューター３１を注視しながら操作すると、前方不注意となり、事故につながりやすかった。
【００２２】
さらに、この前方不注意になるという点は、サイクルコンピューター３１に限らず、上部ハンドルバー５５に装着する大部分の用品群の操作において全般的にいえるものであった。
【００２３】
また、ごく一部のスイッチ分離型タイプのサイクルコンピューターをのぞき、多くのサイクルコンピューター３１は、操作を片手運転で行う必要があった。さらに片手運転でのサイクルコンピューター３１の操作は、出発時と到着時およびラップ時の計測ボタン操作にまごつきが当然発生し、結果としてタイム計測に誤差が発生しやすかった。そのため、動作ロスがなく、下部ハンドルグリップ５４を両手で握ったまま操作できるサイクルコンピューターの取り付け形態が望まれていた。
【００２４】
ハンドルパイプ装着式の照明器具３５を上部ハンドルバー５５に装着した場合、正面および側面から見ると自転車全体の印象がカエル的表情の印象となり、美観を落とす結果となっていた。そのため美観を損なわない照明器具の取り付け形態が望まれていた。
【００２５】
ハンドル末端部装着式のバックミラー３４およびフロントハブに装着するタイプのバックミラーは、後方確認の際、真下にあるミラーに気を取られ、前方不注意になりがちだった。
【００２６】
また、一般自転車向きバックミラー３８を上部ハンドルバーに装着するユーザーも一部見かけるが、これは上部ハンドルバー５５の握り範囲を減少させていた。ハンドルの握り範囲を減少させず、前方不注意になりにくい、後方確認ミラーの取り付け形態が望まれていた。
【００２７】
ハンドル末端部６０に挿入して設けるタイプの変速機制御装置、およびブレーキレバーとその支持部品５９と一体に設けられるタイプの変速機制御装置の操作では、下部ハンドルグリップ５４をにぎる手を前方位置または後方位置の変速制御レバーまたは変速制御ボタンまでスライドさせて操作する必要があった。
【００２８】
また、旧式ロードタイプ自転車の変速機制御装置は、車体フレームの前部付近に装備されるが、これは片手運転での窮屈な操作が要求された。
【００２９】
さらにマウンテンバイク、婦人用自転車に多く利用されているハンドルパイプ装着式の変速機制御装置は、ロードタイプ自転車にハンドル握りに支障が出るため利用に不向きであった。
【００３０】
ロードタイプ自転車にＤＨバー５６を設けると、その上部ハンドルバー５５に用品群を装着できる余裕部分がなくなっていた。
【００３１】
ロードタイプ自転車の多くのユーザーは遠乗り志向が多い。また近年ロードタイプ自転車は非常に人気があり、この先さらに普及する傾向がみられる。そのため、装着する用品も上記に示した以外に携帯電話、ＰＤＡ、ノートパソコン等といった情報機器用ホルダー、地図ホルダーなどが将来利用される可能性がでてくると考えられる。
本発明は、以上の欠点を除くためになされたものである。
【課題を解決するための手段】
【００３２】
上記の問題を解決するため、ロードタイプ自転車のハンドル末端部６０に本発明の用品取り付け用装置１を設け、これに用品を設ける（図１、図２、図６、図７参照）。
【００３３】
また、より多く用品を装着したい場合には、二個の用品取り付け用装置１を用意し、それぞれの間に本発明の補助部品である連結状パイプ部品２９を追加し、用品取り付け用装置２として形成する（図３、図４参照）。用品取り付け用装置２を左右のハンドル末端部６０に設け、これに用品を設ける（図８、図２２参照）。
【００３４】
本発明の自転車用品用装置１の構造について説明する（請求項１記載、図１、図２参照）。本発明の用品取り付け用装置１の主要部品であるＬ字型部品３とは、その中心部に球体状部位６を設け、さらにその球体状部位６からは、ハンドルパイプと同じ太さのベル取り付け用の円柱状部位８をつながる形状で設け、その８の先端部に半球状部位９を設け、その先端には雌ネジ孔１９を設けてなる。
【００３５】
さらに球体状部位６には、ハンドルパイプ内径と同じくらいの太さの円柱状挿入部位４をつながる形状で設け、その４の先端部に斜めカット状の面５を形成する。つながる形状の円柱状挿入部位４と球体状部位６の内部には長ネジ１０を通せるほどの貫通孔１８を設けてなる。
【００３６】
球体状部位６の表面には、小型突起物１６ａを複数設けてなる球体形状のマッサージ用部品１６を被さるように設けてなる。球体形状のマッサージ用部品１６とは，ゴム系の弾性材質である。以上がＬ字型部品３の構成である。
【００３７】
また、装置１の主要構成部品である円柱状嵌合部品７の構造とは、ハンドルパイプの内径と同じくらいの太さの円柱状で、内部には貫通孔１８を設けてなり、その７の一方の先端部には斜めカット状の面５を設けてなり、その７のもう一方の端は直角カット状であり、その貫通孔口に変形ナットの回転止めの役割をはたす変形ナット周り止め凹部２６を設けてなる。
【００３８】
この円柱型勘合部品７の斜めカット状の面５をＬ字型部品３の斜めカット状の面５に合わせる。さらに長ネジ１０をＬ字型部品３の球体状部位６側から貫通孔１８に通し、円柱状勘合部品７の貫通孔１８にも通し、変形ナット１４で留め、連結状挿入部位２０の形成を成す。
【００３９】
さらに、用品取り付け用装置１の主要な構成部品である厚型ステー２１とは、複数の貫通孔１８および回動部位の貫通孔１８ａを設けてなる。この厚型ステー２１の回動部位の貫通孔１８ａをＬ字型部品３の雌ネジ孔１９に合わせ、ネジ１２、ワッシャ１３により連結する。
【００４０】
用品取り付け用装置１の主要な構成部品であるスイッチ部品２４とは、装着した用品の手元操作目的のものであり、一回押すごとに電流が通電と断線を行うものである（図５参照）。  
【００４１】
このスイッチ部品２４の上部には入り切りスイッチ２７が設けてなり、２４側部には、貫通穴を有す弾性ステー部位２５が設けてなり、さらにその下部には用品接続用配線コード２８が露出して設けてなる。
【００４２】
弾性ステー部位２５部分は、スイッチ部品２４の入り切りスイッチ２７の操作時に弾性力を発揮する程度の厚みであり、かつ十分な強度を持っている材質である。以上構成のスイッチ部品２４の弾性ステー部位２５を、厚型ステー２１の貫通孔１８に、ネジ１２、ワッシャ１３、ナット１５で複数設ける。
【００４３】
厚型ステー２１の貫通孔１８へ平ステー２２、直角ステー３０をネジ１２、ワッシャ１３、ナット１５により設け、さらに２２、３０の貫通孔１８へは自転車ハンドルパイプと同じ太さの短パイプ状部品２３をワッシャ１３、ナット１５で設ける。さらに２１の貫通孔１８へは短パイプ状部品２３のみをネジ１２、ワッシャ１３、ナット１５で複数設ける。
以上が用品取り付け用装置１の構成である。
【００４４】
用品取り付け用装置１の取り付けを説明する（ドロップハンドルは図６、７参照、変形ハンドルは図１５参照、ＤＨバーは図１８参照）。ロードタイプ自転車への用品取り付け用装置１の取り付けは、ベル取り付け用円柱状部位８を水平にした状態で、形成された連結状挿入部位２０をハンドル末端部６０に挿入し、長ネジ１０の締め付けで固定することで設ける。
【００４５】
用品取り付け用装置１においての用品の装着出来うる箇所とは、厚型ステー２１の貫通穴１８、平ステー２２、直角ステー３０、短パイプ部品２３、およびベル取り付け用の円柱状部位８である。
用品装着可能箇所である１８、２２、２３、８に用品を多様に設ける（図９、図１０、図１１、図１２、図１３、図１４、図１６、図１７、図１９参照）。
【００４６】
続いて、用品取り付け用装置２の構造について説明する（請求項２記載、図３参照）。用品取り付け用装置２とは、より多くの用品を装着できる機能を得るために用品取り付け用装置１を進化させたものであり、その形態は２個の用品取り付け用装置１の間に連結状パイプ部品２９を追加増設してなるものである。
【００４７】
連結状パイプ部品２９とは、ステー付パイプ部品凹２９ａとステー付パイプ部品凸２９ｂの組み合わせからなるものである（図４参照）。
【００４８】
ステー付パイプ部品凹２９ａの形状とは、ハンドルパイプと同径のパイプ部位１７が設けてなり、そのパイプ部位１７の片端は貫通孔１８を設けたステーが設けてなる。
【００４９】
もう一方のステー付パイプ部品凸２９ｂの形状とは、ハンドルパイプと同径のパイプ部位１７と、そのパイプ部位１７の一方の片端に貫通孔を設けたステーが設けてなり、さらにその反対の片端にはステー付パイプ部品凹２９ａパイプ内にちょうど挿入できる太さの幅調節用パイプ部位２９ｃを設けてなる。
【００５０】
このステー付パイプ部品凹２９ａのパイプ部位１７内部に、ステー付パイプ部品凸２９ｂの幅調節用パイプ部位２９ｃを挿入し、連結状パイプ部品２９に形成する。
【００５１】
この連結状パイプ部品２９の両側に、前記の用品取り付け用装置１を一個ずつ、各厚型ステー２１同士を向かい合わせに配置し、そのそれぞれの厚型ステー２１の貫通孔１８に連結状パイプ部品２９両端のステーをネジ、ナットによって連結する（図３参照）。
【００５２】
連結状パイプ部品２９の両端のステーは、２個の用品取り付け用装置１に挟まれる形態となる。用品取り付け用装置２の幅は、パイプ部位１７内部に挿入される２９凸の幅調節用パイプ部位２９ｃの挿入深度で変化するものである。
以上が用品取り付け用装置２の構成である。
【００５３】
用品取り付け用装置２のロードタイプ自転車への取り付けを示す。用品取り付け用装置２は、連結状パイプ部品２９の幅調節用パイプ部位２９ｃの挿入深度を調整してハンドル幅に合わせる。両端の連結状挿入部位２０をハンドル末端部６０左右に挿入し、長ボルト１０の締め付けで固定することで設ける（ドロップハンドルは図８、変形ハンドルは図２２を参照）。
【００５４】
用品取り付け用装置２では、前記の用品取り付け用装置１の用品装着可能箇所であった厚型ステー２１の貫通穴１８、平ステー２２、直角ステー３０、短パイプ部品２３、およびベル取り付け用の円柱部位８の他、連結状パイプ部品２９のパイプ部位１７も用品の装着できる箇所である（図８参照）。この用品装着可能箇所８、１８、２２、２３、３０、１７に用品を多様に設ける（図２０、図２１、図２２、図２３、図２４参照）。
【発明の効果】
【００５５】
上部ハンドルバーの握り範囲を減少せずに照明器具、サイクルコンピューター、ベル、バックミラー、変速制御装置などを設けることができた（図１０参照）。
【００５６】
下部ハンドルグリップから手を離さずに、照明器具、サイクルコンピューター、ベルおよび変速制御装置などの操作ができた（図１１、図１２参照）。  
【００５７】
上部ハンドルバーを握った状態から照明器具、サイクルコンピューターの操作ができた。  
【００５８】
下部ハンドルグリップ部を握る手をわずかにずらすだけですばやいベル操作ができた。
【００５９】
上記００５８内容の効果により、ベルとブレーキングの連続的な連係操作が機敏に行えた。これにより高速走行時や人ごみの中での走行時にも危険回避の動作がたやすくなり、乗車員の精神的負担も大幅に軽減できた。
【００６０】
サイクルコンピューターについては、ドロップハンドル５２に装着した場合、下部ハンドルグリップ５４、上部ハンドルバー５５のどちらを握ったままでも操作が出来た。変形ハンドル５３に装着した場合、下部ハンドルグリップ５４を握ったままでも操作が出来た。ＤＨバー５６に装着した場合、ＤＨバー５６を握ったままでも操作が出来た。
【００６１】
これにより、今までのようなサイクルコンピューター操作前後の手の移動モタつきは無くなり、ハンドル操作は常に安定したものとなった。
【００６２】
さらに、乗車員が自ら行うタイム計測では、スタート、ストップ、ラップ時のサイクルコンピューター操作がスムーズになることにより正確な計測を得ることが可能となった。
【００６３】
さらに、サイクルコンピューターは、従来方式より下前方に装着されることで目との距離が十分とれ、表示画面がみやすくなった。
【００６４】
また、従来方式では表示確認の際には顔を真下に向けていたが、本発明ではほとんど目の移動だけで確認が出来た。これは、結果的に前方不注意の時間の大幅な短縮につながるものであった。
【００６５】
変速制御装置４３の操作は、下部ハンドルグリップ５４をにぎった状態から親指で出来るようになった（図１１および図１２参照）。
【００６６】
照明器具などの電気用品を下部ハンドルグリップ５４や上部ハンドルバー５５から手を離さずにリモート操作が出来るようになった。ただし、これはスイッチ２４の配線コード２８を用品の配線に接続した場合のみ、得られる効果である。
【００６７】
自転車を前後左右から見た場合でも用品は輪郭を超えない位置にあるので、本来の美観が保てるようになった（図２７参照）。
【００６８】
照明器具（前照灯）を装着した場合、前輪タイヤの影による照明ロスを軽減できた。また、泥水による照明部の汚れが減った。
【００６９】
マッサージ用部品１６の半球状の小型突起物１６ａに手のひらを押し当てると、マッサージ効果を得ることが出来た。
【００７０】
用品取り付け用装置１は、ドロップハンドル５２、ロード用変形ハンドル５３、の左右どちらのハンドル末端部６０にも設けることが出来た。ＤＨバー５６では１を一個設けることが出来た。いずれのハンドルおいても上記に述べた一連の発明の効果が得られた。
【００７１】
用品取り付け用装置２は、ドロップハンドル５２および変形ハンドル５３に設けて用品を装着することが出来た。また、上記に示した一連の発明の効果も得られた。
【００７２】
また、上記に示した１または２を利用することによって上記に示した用品群以外でも、簡単に使いよい形態を得らえることが確認出来た。
【００７３】
例えば、携帯電話ホルダー、小型オーディオプレィヤーホルダー、携帯端末機器（ＰＤＡなど）ホルダー, 地図入れホルダー、小物入れホルダーなどが貫通孔付きの突出部位を有している用品の場合、それらは厚型ステー２１の貫通孔１８にネジおよびナットで装着することが出来る。
【００７４】
本発明は、上記一連の発明効果の通りロードタイプ自転車に利用する用品の取り付け用装置として利用することが出来た。本発明は、以上の効果を得た。
【発明を実施するための最良の形態】
【００７５】
以下に示す各実施例においては、用品取り付け用装置１、用品取り付け用装置２のいずれかの利用となる。そのため、１および２の構造、装着方法について先に説明する。以下に示す。
【００７６】
まず用品取り付け用装置１の構造、装着方法について説明する（請求項１記載）。本発明の用品取り付け用装置１の主要部品であるＬ字型部品３とは、その中心部に球体状部位６を設け、さらにその６からは、つながる形状でハンドルパイプと同じ太さのベル取り付け用の円柱状部位８を設け、その８の先端部に半球状部位９を設け、その先端には雌ネジ孔１９を設けてなる。
【００７７】
さらに球体状部位６には、ハンドルパイプ内径と同じくらいの太さの円柱状挿入部位４をつながる構造で設け、その４の先端部に斜めカット状の面１７を設ける。
【００７８】
このつながる形状で成る円柱状挿入部位４と球体状部位６の内部には長ネジ１０を通せる貫通孔１８を設けてなる。
【００７９】
球体状部位６の表面には、小型突起物１６ａを複数設けてなる球体形状のマッサージ用部品１６を被さるように設けてなる。以上がＬ字型部品３の構成である。
【００８０】
また、用品取り付け用装置１の主要構成部品である円柱状嵌合部品７の構造とは、その内部に貫通孔１８を設けたハンドルパイプの内径と同じくらいの太さの円柱状であり、その７の一方の先端部には斜めカット状の面５であり、その７のもう一方の端は直角カット面であり、その直角カット面には変形ナットの回転止めの役割をはたす変形ナット周り止め凹部２６を設けてなる。
【００８１】
この円柱状嵌合部品７の斜めカット状の面５をＬ字型部品３の斜めカット状の面５に合わせる。さらに長ネジ１０をＬ字型部品３の球体型部位６側の貫通孔１８から通し、円柱型嵌合部品７の貫通孔１８にも通し、変形ナット１４で留めて連結することで、連結状挿入部位２０の形成を成す。
【００８２】
さらに、本用品取り付け用装置１の主要な構成部品である厚型ステー２１とは、回動部位にある貫通孔１８ａと、複数の貫通孔１８を設けてなる。
【００８３】
この厚型ステー２１の１８ａを、Ｌ字型部品３の雌ネジ孔１９に合わせ、ネジ１２、ワッシャ１３により連結し、厚型ステー２１先端部をやや斜め上前方の角度に向け、ネジ１２で固定する。
【００８４】
用品取り付け用装置１の主要な構成部品であるスイッチ部品２４とは、装着した用品の手元操作目的のものであり、一回押すごとに電流が通電と断線を行うことを目的とするものである。
【００８５】
このスイッチ部品２４の上部面には、入り切りスイッチ２７が設けてなり、２４側部には、貫通穴を設けたＵ字型状の弾性ステー部位２５を設けてなり、さらに２４の下部には用品接続用の配線コード２８が露出して設けてなる。
【００８６】
上記の弾性ステー部位２５は、スイッチ部品２４の入り切りスイッチ２７の操作時には、操作する指を痛めないよう弾性力を発揮し、さらに復元力があり、十分な強度を持つ材質である。
【００８７】
以上構成のイッチ部品２４の弾性ステー部位２５を、厚型ステー２１の貫通孔１８に、ネジ１２、ワッシャ１３、ナット１５で複数設ける。
【００８８】
さらに、厚型ステー２１の貫通孔１８へは、ハンドルパイプと同じ太さである短パイプ状部品２３と平ステー２２、短パイプ状部品２３と直角ステー３０をネジ１２、ワッシャ１３、ナット１５で多様に組み合わせ設けてなる。
【００８９】
単独の短パイプ状部品２３をワッシャ１３、ナット１５で厚型ステー２１の貫通孔１８へ複数設けてなる。
【００９０】
用品取り付け用装置１での用品装着可能箇所は、厚型ステー２１の貫通穴１８、平ステー２２、直角ステー３０、短パイプ部品２３、およびベル取り付け用の円柱状部位８である。
以上が用品取り付け用装置１の構成である。
【００９１】
続いて用品取り付け用装置２の構造について説明する（請求項２記載、図３参照）。用品取り付け用装置２とは、より多くの用品を装着できる機能を得るために用品取り付け用装置１を進化させたものであり、２個の用品取り付け用装置１の間に連結状パイプ部品２９を追加して設けてなるものである。
【００９２】
連結状パイプ部品２９とは、ステー付パイプ部品凹２９aとステー付パイプ部品凸２９ｂの組み合わせからなるものである（図４参照）。
【００９３】
ステー付パイプ部品凹２９ａの形状とは、ハンドルパイプと同径のパイプ部位１７が設けてなり、そのパイプ部位１７の片端は貫通孔１８を設けたステーが設けてなる。
【００９４】
もう一方のステー付パイプ部品凸２９ｂの形状とは、ハンドルパイプと同径のパイプ部位１７と、そのパイプ部位１７の一方の片端に貫通孔を設けたステーが設けてなり、さらにその反対の片端には、ステー付パイプ部品凹２９ａパイプ内にちょうど挿入できる太さの幅調節用パイプ部位２９ｃをつながる形状で設けてなる。
【００９５】
このステー付パイプ部品凹２９ａのパイプ部位１７末端部に、ステー付パイプ部品凸２９ｂの幅調節用パイプ部位２９ｃを挿入し、連結状パイプ部品２９に形成する（図４参照）。
【００９６】
この連結状パイプ部品２９の両側に、前記の用品取り付け用装置１を一個ずつ、各厚型ステー２１同士を向かい合わせに配置し、そのそれぞれの厚型ステー２１の貫通孔１８に連結状パイプ部品２９両端のステーをネジ１２、ナット１５によって連結する（図３参照）。
【００９７】
上記００９６の内容のとおり、連結状パイプ部品２９の両端のステーは、２個の用品取り付け用装置１に挟まれる形態となる。この用品取り付け用装置２は、連結状パイプ部品２９の幅調節用パイプ部位２９ｃの挿入深度で調整することでその幅が変化するものである。以上が用品取り付け用装置２の構成である。
【００９８】
用品取り付け用装置２では、前記の用品取り付け用装置１の用品装着可能箇所である厚型ステー２１の貫通穴１８、平ステー２２、直角ステー３０、短パイプ部品２３、およびベル取り付け用の円柱部位８の他、連結状パイプ部品２９のパイプ部位１７も用品装着可能箇所となる（ドロップハンドルへの装着は図３参照、変形ハンドルへの装着は図２２参照）。
以上が、用品取り付け用装置２の構成である。
【００９９】
さらに、以下に示す全実施例において用品を設ける際の共通の補足を述べる。
実際、装着する用品とは、それぞれメーカーにより大きさや形状も違い、その用品に付帯している操作スイッチの位置もそれぞれ異なるところにある。そのため、装着する用品によって厚型ステー２１の複数ある貫通孔１８の中からそれぞれ取り付け部を選択し、操作性のよい位置および装着角度を確保する必要がある。
【０１００】
当然ながら本発明の用品取り付け用装置１および２は、共に上記の点を十分考慮しており、これに柔軟に対応する部品設計がなされている。例えば、厚型ステー２１に貫通孔１８を複数個設けてあるのは、厚型ステー２１上での取り付け位置をその複数箇所の中から選択可能となる。
【０１０１】
また、厚型ステー２１に貫通孔１８には、薄型ステー２２、直角型ステー３０、短パイプ部品２３、連結状パイプ部品２９は共通のネジ、ナットを使用して設けることとしている。さらに薄型ステー２２、直角型ステー３０、短パイプ部品２３、連結状パイプ部品２９は共通のネジ、ナットを使用して組み合わせした上で厚型ステー２１の貫通孔１８に設けることもある。
【０１０２】
上記０１００、０１０１の内容により用品は最も使いよい形態を得ることが可能となる。ちなみに、用品を多数設ける場合の実施例では、用品取り付け用装置２の形態を利用している。
【０１０３】
以下に本発明の具体的な実施例を示す。実施例１、２、３、４では、自転車に用品取り付け用装置１を設け、さらに用品を設ける。実施例５、６では、自転車に用品取り付け用装置２を設け、さらに用品を設ける。
【０１０４】
実施例７、８、９では、用品取り付け用装置１をベースに貫通孔付きの突出部位を有した用品群を設け、多機能用品として形成し、これを自転車に設ける。
【０１０５】
実施例１０、１１、１２では、上記０１０４の多機能用品にカバーを設け、これを自転車に設ける。
【実施例１】
【０１０６】
本実施例１は、請求項１記載の用品取り付け用装置１をドロップハンドル車に設け、これにサイクルコンピューター３１、変速制御装置４３、ベル３２、一般車用バックミラー３８、ハンドルパイプ装着型の照明器具３５を設けるものである（図９、図１０、図１１、図１２、図２７参照）。以下に取り付け方法を示す。
【０１０７】
請求項１記載の用品取り付け用装置１の連結状挿入部位２０をドロップハンドル末端部６０に挿入し、さらにベル取り付け用の円柱状部位８を内側に向け水平にした状態とし長ネジ
１０で固定する。
【０１０８】
回動部位の貫通孔１８ａに嵌めたネジ１２をいったん緩め、厚型ステー２１先端部を前斜め上向きの角度とし、再びネジ１２で固定する。
【０１０９】
さらに、この用品取り付け用装置１の各部位に対し用品を設ける。
【０１１０】
サイクルコンピューター３１は、平ステー２２上に設けた短パイプ部品２３に設ける。
【０１１１】
一般自転車用バックミラー３８は、平ステー２２上に設けた短パイプ部品２３に設ける。
【０１１２】
ベル３２は、ベル取り付け用の円柱状部位８に設ける。  
【０１１３】
変速制御装置４３は、直角ステー部品３０上の短パイプ部品２３に設ける
【０１１４】
ハンドルステム寄りに設けた短パイプ部品２３にハンドルパイプ装着型の照明器具３５を設ける。
【０１１５】
さらに、設けた用品の調整を行う。サイクルコンピューター３１は、下部ハンドルを握った状態から親指でボタン操作しやすい角度で固定する。一般自転車用バックミラー３８は、走行中において確認容易な角度に調整し固定する。ベル３２は、下部ハンドルグリップ５４を握る手をわずかに後退させるだけで操作できる角度に調整し固定する。変速制御装置４３は、下部ハンドルグリップ５４を握った状態から親指で操作しやすい角度に調整し固定する。
【０１１６】
ハンドルパイプ装着型の照明器具３５は、下部ハンドルグリップ５４を握った状態から親指で操作しやすい位置にし、前方照明に適した角度に調整し固定する。以上の構成である。
【０１１７】
以下に本実施例１で設けた用品の操作方法を示す（図１２および図１４参照）。
【０１１８】
ベル３２の操作は、下部ハンドルグリップ５４を握った状態から手首を後方にずらすことで行う。
【０１１９】
サイクルコンピューター３１の操作は、下部ハンドルグリップを握った状態からは親指で行う。
【０１２０】
変速制御装置４３の操作は、下部ハンドルグリップを握った状態からは親指、人さし指または中指で行う。
【０１２１】
ハンドルパイプ装着型の照明器具３５の操作は、下部ハンドルグリップを握った状態から親指で行う。
【０１２２】
さらにサイクルコンピューター３１、ハンドルパイプ装着型の照明器具３５の操作は、上部ハンドルバーを握った状態から親指、人さし指または中指で行うことも可能である。
【実施例２】
【０１２３】
本実施例２は、請求項１記載の用品取り付け用装置１をドロップハンドル車に設け、これにサイクルコンピューター３１、変速制御装置４３、ベル３２、一般車用バックミラー３８、ダイナモ発電式ライト３６から分割したステー付照明部品３６ａを設けるものである（図１４参照）。
【０１２４】
本実施例２では、スイッチ部品２４をステー付照明部品３６ａ用の電源切り替えスイッチ部品として利用する（図５参照）。本実施例２で設ける装着用品のステー付照明部品３６ａとは、具体的にはフロントフォーク取り付けタイプであるダイナモ一体式ライト３６から分離させたステー付照明部品３６ａのことである（図３０参照）。
【０１２５】
以下に用品取り付け用装置１の取り付け方法を示す。用品取り付け用装置１の連結状挿入部位２０をドロップハンドルのハンドル末端部６０に挿入し、さらに、ベル取り付け用円柱状部位８をステム側に向け水平にした状態とし長ネジ１０で固定する。
【０１２６】
回動部位の貫通孔１８ａに嵌めたネジ１２をいったん緩め、厚型ステー２１先端部を前斜め上向きの角度とし、再びネジ１２で固定する。
【０１２７】
さらに、この取り付け用装置１に対し用品を設ける。サイクルコンピューター３１は、平ステー２２上に設けた短パイプ部品２３に設ける。自転車用バックミラー３８は、平ステー２２上に設けた短パイプ部品２３に設ける。ベル３２は、ベル取り付け用の円柱状部位８に設ける。変速制御装置４３は、直角ステー部品３０上の短パイプ部品２３に設ける。
【０１２８】
ハンドルステム寄りに設けた短パイプ部品２３にステー付照明部品３６aを設ける。
【０１２９】
分割したダイナモ発電機部品３６ｂは、フロントフォークに通常とおりで装着する（もしくは、３６ｂは後輪側フレームに発電機３６ｂを設けても良い）。
【０１３０】
ステー付照明部品３６ａ付帯の配線コード２８を延長コードにてスイッチ部品２４付帯の配線コード２８の一本と接続する。
【０１３１】
スイッチ部品２４付帯の配線コード２８のもう一本の配線は、延長コードにてダイナモ発電機部品３６ｂのプラス端子へ接続する。
【０１３２】
ダイナモ発電機部品３６ｂのマイナス電流のながれるステー部からアース配線をとり、ステー付照明部品３６ａのマイナス端子であるステー部の貫通孔へとつなぐ。
【０１３３】
さらに、設けた用品の調整を行う。サイクルコンピューター３１は、下部ハンドルを握った状態から親指でボタン操作しやすい角度で固定する。一般自転車用バックミラー３８は、走行中において確認容易な角度に調整し固定する。ベル３２は、下部ハンドルグリップ５４を握る手をわずかに後退させるだけで操作できる角度に調整し固定する。変速制御装置４３は、下部ハンドルグリップ５４を握った状態から親指で操作しやすい角度に調整し固定する。
【０１３４】
ステー付照明部品３６ａは、前方照明に適した角度に調整し固定する。
【０１３５】
スイッチ部品２４は、下部ハンドルグリップ５４を握った状態から親指で操作しやすい角度に調整し固定する。以上が本実施例２の構成である。
【０１３６】
以下に本実施例２で設けた用品の操作方法を示す。ベル３２の操作は、下部ハンドルグリップ５４を握った状態から手首を後方にずらすことで行う。サイクルコンピューター３１の操作は、下部ハンドルグリップ５４を握った状態からは親指で行う。変速制御装置４３の操作は、下部ハンドルグリップ５４を握った状態から親指で行う。
【０１３７】
ステー付照明器具３６ａの電源切り替え操作は、手元操作用としたスイッチ部品２４のボタン操作によって行う。スイッチ部品２４のボタン操作は、下部ハンドルグリップを握った状態からは親指で行う。
【０１３８】
さらに３１、３５、２４の操作は、上部ハンドルバーを握った状態から親指、人さし指または中指で行うことも可能である。
【０１３９】
さらに、実施例２に関連する補足を述べる。ちなみに実施例２では、ステー付照明部品３６ａの電源をダイナモ発電機部品３６ｂとし利用しているが、電源体は車体装着型のバッテリーに変更することは可能である。
【０１４０】
また、乾電池や充電バッテリー内臓のステー付照明部品であれば、厚型ステー２１の貫通孔１８に設けるのみで使用できることは言うまでもない。また、その照明器具によっては、スイッチ部品２４と配線で繋いで２４で操作することも可能である。
【実施例３】
【０１４１】
本実施例３では、変形ハンドル車に用品取り付け用装置１を設け、さらに装着用品としてハンドルパイプ装着型の照明器具３５、サイクルメータ３１、ベル３２、一般車用バックミラー３８、変速制御装置４３を設ける（図１６および図１７参照）。
【０１４２】
ただし、変形ハンドルに自転車用品用装置１を設ける場合、用品対応のために多少の変化を求められるため、同用品取り付け用装置１の構成部品の付け直しを行う必要がある。以下に本実施例３の取り付け方法を示す。  
【０１４３】
用品取り付け用装置１の連結状挿入部位２０を変形ハンドルのハンドル末端部６０に挿入し、さらに、ベル取り付け用円柱部位８を内側に向け水平にした状態とし、長ネジ１０で固定する。
【０１４４】
厚型ステー２１の先端に設けた平ステー２２と短パイプ部品２３をいったん取りはずし、２１の貫通孔１８に短パイプ部品２３のみを設ける。
【０１４５】
厚型ステー２１の最先端の貫通孔１８へは、下部グリップ寄りに短パイプ部品２３をネジ１２、ワッシャ１３、ナット１５で設ける。
【０１４６】
さらに、この取り付け用装置１の各部位に対し用品を設ける。
【０１４７】
サイクルコンピューター３１は、ベル取り付け用の円柱状部位８に設ける。自転車用バックミラー３８は、ベル取り付け用の円柱状部位８に設ける。ベル３２は、厚型ステー２１上の後方に位置する短パイプ部品２３に設ける。変速制御装置４３は、直角ステー部品３０上の短パイプ部品２３に設ける
【０１４８】
ハンドルパイプ装着型の照明器具３５は、ハンドルステム寄りに設けた厚型ステー２１上の短パイプ部品２３に設ける。
【０１４９】
さらに、設けた用品の調整を行う。サイクルコンピューター３１は、下部ハンドルを握った状態から親指でボタン操作しやすい角度で固定する。一般自転車用バックミラー３８は、走行中において確認容易な角度に調整し固定する。ベル３２は、下部ハンドルグリップ５４を握る手をわずかに後退させるだけで操作できる角度に調整し固定する。変速制御装置４３は、下部ハンドルグリップ５４を握った状態から親指で操作しやすい角度に調整し固定する。
【０１５０】
ハンドルパイプ装着型の照明器具３５は、下部ハンドルグリップ５４を握った状態から親指で操作しやすい位置にし、前方照明に適した角度に調整し固定する。以上の構成である。
【０１５１】
以下に本実施例３で設けた用品の操作方法を示す。
【０１５２】
ベル３２の操作は、下部ハンドルグリップ５４を握った状態から手首を後方にずらすことで行う。
【０１５３】
サイクルコンピューター３１の操作は、下部ハンドルグリップを握った状態からは親指で行う。
【０１５４】
変速制御装置４３の操作は、下部ハンドルグリップを握った状態からは親指、人さし指または中指で行う。
【０１５５】
ハンドルパイプ装着型の照明器具３５の操作は、下部ハンドルグリップを握った状態から親指で行う。
【０１５６】
さらに３５の操作は、上部ハンドルバーを握った状態から親指、人さし指または中指で行うことも可能である。
【０１５７】
さらにベル３２の操作は、上部ハンドルバーを握った状態からも可能である。
【実施例４】
【０１５８】
本実施例４では、ＤＨバー５６に自転車用品用装置１を設け、さらに装着用品としてダイナモ発電式ライト３６から分割したステー付照明部品３６a、サイクルメータ３１、ベル３２、一般車用バックミラー３８、変速制御装置４３を設ける（図１８および図１９参照）。
【０１５９】
ただし、ＤＨバー５６に自転車用品用装置１を設ける場合も、実施例３と同様に請求項１記載の自転車部品取り付け装置１の形態からさらに構成部品の一部付け替えを行う必要がある。  
【０１６０】
以下に取り付け方法を示す。自転車部品取り付け装置１の連結状挿入部位２０をＤＨバー５６のハンドル末端部６０に挿入し、さらに、ベル取り付け用の円柱状部位８を内側に向け水平にした状態とし、長ネジ１０で固定する。
【０１６１】
厚型ステー２１の先端に設けた平ステー２２と短パイプ部品２３をいったん取りはずし、２１の貫通孔１８に短パイプ部品２３のみを設ける。
【０１６２】
さらに、この取り付け用装置１の各部位に対し用品を設ける。
【０１６３】
サイクルコンピューター３１は、ベル取り付け用の円柱状部位８に設ける。自転車用バックミラー３８は、ベル取り付け用の円柱状部位８に設ける。ベル３２は、厚型ステー２１上の後方に位置する短パイプ部品２３に設ける。変速制御装置４３は、直角ステー３０上に設けた短パイプ部品２３に設ける。
【０１６４】
ステー付照明部品３６ａは、厚型ステー２１上の前部の貫通孔１８にネジ１２、ワッシャ１３、ナット１５で設ける。
【０１６５】
ステー付照明部品３６ａ付帯の配線コード２８を延長コードにてスイッチ部品２４付帯の配線コード２８の一本と接続する。スイッチ部品２４付帯の配線コード２８のもう一本の配線は、延長コードにてダイナモ発電機部品３６ｂのプラス端子へ接続する。
【０１６６】
ダイナモ発電機部品３６ｂのステー部の貫通孔に配線を繋ぎ、その配線をステー付照明部品３６ａのステー部の貫通孔に繋ぐ。この配線がマイナス電流の配線となる。
【０１６７】
さらに、設けた用品の調整を行う。サイクルコンピューター３１を、ＤＨバー５６を握った状態から親指でボタン操作しやすい角度で固定する。ベル３２を、ＤＨバー５６を握る手をわずかに後退させるだけで操作できる角度に調整し固定する。一般自転車用バックミラー３８を、走行中において確認容易な角度に調整し固定する。変速制御装置４３を、ＤＨバー５６を握った状態から親指で操作しやすい角度に調整し固定する。
【０１６８】
ステー付照明部品３６ａは、前方照明に適した角度に調整し固定する。
【０１６９】
スイッチ部品２４は、ＤＨバー５６を握った状態から親指で操作しやすい角度に調整し固定する。以上の構成である。
【０１７０】
以下に本実施例４で設けた用品の操作方法を示す。ベル３２の操作は、ＤＨバー５６を握った状態から手首を後方にずらすことで行う。サイクルコンピューター３１の操作は、ＤＨバー５６を握った状態から親指で行う。変速制御装置４３の操作は、ＤＨバー５６を握った状態から親指で行う。ステー付照明部品３６ａの操作は、ＤＨバー５６を握った状態からスイッチ部品２４の入り切りスイッチ２７を親指で押すことで行う。
【０１７１】
さらに実施例４に関連する補足を述べる。ちなみに実施例２と同様、実施例４でもステー付照明部品３６ａの電源をダイナモ発電機部品３６ｂとし利用しているが、電源を車体装着型のバッテリーに変更することは可能である。
【実施例５】
【０１７２】
本実施例５では、ドロップハンドル車に用品取り付け用装置２を設け、これにサイクルコンピューター３１、ベル３２、一般自転車用バックミラー３８、ハンドルパイプ装着型の照明器具３５、ステー付き照明部品３６ａ、ＬＥＤシグナル４１、リフレクター４２および二個の変速制御装置４３を設ける。（図８、図２０、図２１参照）。
【０１７３】
以下に実施例５の取り付け方法を示す。
用品取り付け用装置２をハンドル幅に合うように幅調節用パイプ部位２９ｃの挿入深度を調整する。用品取り付け用装置２の左右１それぞれの連結状挿入部分２０を、ハンドル末端部６０両側に挿入し、長ネジ１０によって固定する。
【０１７４】
ＬＥＤシグナル４１を、用品取り付け用装置２左側１の厚型ステー２１の前部にある短パイプ部品２３に設ける。
【０１７５】
変速制御装置４３を、用品取り付け用装置２左側１の厚型ステー２１の直角ステー３０に固定された短パイプ部品２３に一個設ける。
【０１７６】
変速制御装置４３を、装置２右側１の直角型ステー３０に固定された短パイプ部品２３に一個設ける。
【０１７７】
ステー付照明部品３６ａを、装置２右側１の２１の先端の貫通孔１８にネジ１２、ナット１５で設ける。
【０１７８】
サイクルコンピューター３１を、装置２右側１の２１の先端の平ステー２２上に設けた短パイプ部品２３に設ける。
【０１７９】
一般自転車用バックミラー３８を、装置２右側１の２１の先端の平ステー２２上に設けた短パイプ部品２３に設ける。
【０１８０】
ベル３２を、装置２右側１のベル取り付け用円柱部位８に設ける。
【０１８１】
ハンドルパイプ装着型の照明器具３５とリフレクター４２を、連結状パイプ部品２９のパイプ部位１７に設ける。
【０１８２】
さらに、設けた用品の調整を行う。サイクルコンピューター３１を、下部ハンドルを握った状態から親指でボタン操作しやすい角度で固定する。ベル３２を、下部ハンドルグリップ５４を握る手をわずかに後退させるだけで操作できる角度に調整し固定する。一般自転車用バックミラー３８を、走行中において確認容易な位置および角度に調整し固定する。変速制御装置４３を、下部ハンドルグリップ５４を握った状態から親指で操作しやすい角度に調整し固定する。
【０１８３】
ステー付照明部品３６ａとハンドルパイプ装着型の照明器具３５を、前方照明に適した角度に調整し固定する。
【０１８４】
リフレクター４２を、前方に反射する角度に調整し固定する。
【０１８５】
スイッチ部品２４は、下部ハンドルグリップ５４を握った状態から親指で操作しやすい角度に調整し固定する。以上の構成である。
【０１８６】
以下に本実施５で設けた用品の操作方法をしめす。ベル３２の操作は、下部ハンドルグリップ５４を握った状態から手首を後方にずらす事で行う。サイクルコンピューター３１の操作は、下部ハンドルグリップ５４を握った状態からは親指で行う。変速制御装置４３の操作は、下部ハンドルグリップ５４を握った状態から親指で行う。ハンドル装着式の照明器具３５の操作は、下部ハンドルグリップ５４を握った状態では親指で行う。ＬＥＤシグナル４１の操作は、下部ハンドルグリップ５４を握った状態からは親指で行う。
【０１８７】
ステー付照明部品３６ａの操作は、下部ハンドルグリップ５４を握った状態からスイッチ部品２４の入り切りスイッチ２７を親指で押すことで行う。
【０１８８】
さらに２４、３１、３５、３６a、４１の操作は、上部ハンドルバーを握った状態から親指、人さし指または中指で行うことも可能である。
【０１８９】
さらに実施例５に関連する補足を述べる。ちなみに実施例２と同様、実施例５でもステー付照明部品３６ａの電源をダイナモ発電機部品３６ｂとし利用しているが、電源を車体装着型のバッテリーに変更することは可能である。
【実施例６】
【０１９０】
本実施例６では、変形ハンドル車４７に自転車用品用装置２を設け、さらにハンドルパイプ装着型の照明器具３５、ステー付き照明部品３６ａ、サイクルコンピューター３１、ベル３２、一般自転車用バックミラー３８、ＬＥＤシグナル４１、リフレクター４２および二個の変速機制御装置４３を設ける（図２２、図２３、図２４参照）。
【０１９１】
以下に実施例６の取り付け方法を示す。
【０１９２】
用品取り付け用装置２をハンドル幅に合うように幅調節用パイプ部位２９ｃの挿入深度を調整する。
【０１９３】
２両端の連結状挿入部位２０を、左右ハンドル末端部６０に挿入し、長ボルト１０の締め付けで変形ハンドル５３に固定する（図８参照）。
【０１９４】
サイクルコンピューター３１を、装置２右側１のベル取り付け用の円柱状部位８に設ける。
【０１９５】
自転車用バックミラー３８は、装置２右側１のベル取り付け用の円柱状部位８に設ける。
【０１９６】
ベル３２は、装置２右側１の厚型ステー２１上の後方に位置する短パイプ部品２３に設ける。
【０１９７】
変速制御装置４３を、装置２右側１の直角ステー３０上に設けた短パイプ部品２３に一個設ける。
【０１９８】
変速制御装置４３を、装置２左側１の直角ステー３０上に設けた短パイプ部品２３に一個設ける
【０１９９】
ステー付照明部品３６ａは、装置２右側１の２１前部の貫通孔１８にネジ１２、ワッシャ１３、ナット１５で設ける。
【０２００】
ＬＥＤシグナル４１を、装置２左側１のベル取り付け用円柱部位８に設ける。
【０２０１】
ハンドルパイプ装着型の電池式照明器具３５、リフレクター４２を、連結状パイプ部品２９のパイプ部位１７に設ける。
【０２０２】
ステー付照明部品３６a付帯の配線コード２８を延長コードにてスイッチ部品２４付帯の配線コード２８の一本と接続する。
【０２０３】
スイッチ部品２４付帯の配線コード２８のもう一本の配線は、延長コードにてダイナモ発電機部品３６ｂのプラス端子へ接続する。
【０２０４】
ダイナモ発電機部品３６ｂのステー部の貫通孔に配線を繋ぎ、その配線をステー付照明部品３６ａのステーに繋ぐ。この配線がマイナス電流の配線となる。
【０２０５】
さらに、設けた用品の調整を行う。サイクルコンピューター３１を、下部ハンドルを握った状態から親指でボタン操作しやすい角度で固定する。ベル３２を、下部ハンドルグリップ５４を握る手をわずかに後退させるだけで操作できる角度に調整し固定する。一般自転車用バックミラー３８を、走行中において確認容易な角度に調整し固定する。変速制御装置４３を、下部ハンドルグリップ５４を握った状態から親指で操作しやすい角度に調整し固定する。
【０２０６】
ステー付照明部品３６ａとハンドルパイプ装着型の照明器具３５を、前方照明に適した角度に調整し固定する。
【０２０７】
リフレクター４２を、正面のライトから反射する角度に調整し固定する。
【０２０８】
スイッチ部品２４は、下部ハンドルグリップ５４を握った状態から親指で操作しやすい角度に調整し固定する。以上の構成である。
【０２０９】
以下に本実施例６で設けた用品の操作方法を示す。
【０２１０】
ベル３２の操作は、下部ハンドルグリップ５４を握った状態から手首を後方にずらす事で行う。サイクルコンピューター３１の操作は、下部ハンドルグリップ５４を握った状態からは親指で行う。変速制御装置４３の操作は、下部ハンドルグリップ５４を握った状態から親指で行う。ハンドル装着式の照明器具３５の操作は、下部ハンドルグリップ５４を握った状態では親指で行う。ＬＥＤシグナル４１の操作は、下部ハンドルグリップ５４を握った状態からは親指で行う。
【０２１１】
ステー付照明部品３６ａの操作は、下部グリップハンドル５４を握った状態からスイッチ部品２４の入り切りスイッチ２７を親指で押すことで行う。
【０２１２】
さらに２４、３１、４１、３５、３６aの操作は、上部ハンドルバーを握った状態から親指、人さし指または中指で行うことも可能である。
【０２１３】
さらに実施例６に関連する補足を述べる。ちなみに実施例２と同様、実施例６でもステー付照明部品３６ａの電源をダイナモ発電機部品３６ｂとし利用しているが、電源を車体装着型のバッテリーに変更することは可能である。
【実施例７】
【０２１４】
本実施例７では、用品取り付け装置１をベースとし、１の厚型ステー２１の貫通孔１８へ貫通孔付きの突出部位を有すベル器具７４、貫通孔付きの突出部位を有すサイクルコンピューター７５、貫通孔付きの突出部位を有す変速制御装置７６、貫通孔付きの突出部位を有す照明器具７７、貫通孔付きの突出部位を有すバックミラー７８を設け、ドロップハンドル車用の多機能用品とて形成し、ドロップハンドルに設けるものである（図２５参照）。以下に構成の詳細を示す。
【０２１５】
まず、本実施例７で利用しない用品取り付け用装置１の平ステー２２、直角ステー３０、短パイプ状部品２３は、ネジ１２を緩めて厚型ステー２１から外す。
【０２１６】
これにより厚型ステー２１の貫通孔１８に設けてあるのは、スイッチ部品２４のみである。
【０２１７】
貫通孔付きの突出部位を有すベル器具７４を、厚型ステー２１上の後方の貫通孔１８へ、ネジ１２、ワッシャ１３、ナット１５で下部グリップ寄りに設ける。
【０２１８】
貫通孔付きの突出部位を有すサイクルコンピューター７５を、厚型ステー２１の先端の貫通孔１８に、ネジ１２、ワッシャ１３、ナット１５で下部グリップ寄りに設ける。
【０２１９】
貫通孔付きの突出部位を有すバックミラー７８を、厚型ステー２１の先端の貫通孔１８に、ネジ１２、ワッシャ１３、ナット１５で下部グリップ寄りに設ける。
【０２２０】
貫通孔付きの突出部位を有す変速制御装置７６を、厚型ステー２１の貫通孔１８に、ネジ１２、ワッシャ１３、往来ナット１５で下部グリップ寄りに設ける。
【０２２１】
貫通孔付きの突出部位を有す照明器具７７を、厚型ステー２１の前部の貫通孔１８に、ネジ１２、ワッシャ１３、ナット１５でステム寄りに設ける。以上によりドロップハンドル用の多機能用品に形成する。
【０２２２】
上記の多機能用品の連結状挿入部位２０をドロップハンドルのハンドル末端部６０に挿入し、さらにベル取り付け用円柱状部位８をステム側に向け水平にした状態とし長ネジ１０で固定する。
【０２２３】
さらに多機能用品の調整を行う。貫通孔付きの突出部位を有すサイクルコンピューター７５を、下部ハンドルグリップ５４を握った状態から親指でボタン操作しやすい角度で固定する。貫通孔付きの突出部位を有すベル器具７４を、下部ハンドルグリップ５４を握る手をわずかに後退させるだけで操作できる角度に調整し固定する。貫通孔付きの突出部位を有すバックミラー７８を、走行中において確認容易な角度に調整し固定する。貫通孔付きの突出部位を有す変速制御装置７６を、下部ハンドルグリップ５４を握った状態から親指で操作しやすい角度に調整し固定する。貫通孔付きの突出部位を有す照明器具７７を、前方照明に適した角度に調整し固定する。以上の構成である。
【０２２４】
以下に実施例７での用品の操作方法を示す。貫通孔付きの突出部位を有すベル器具７４の操作は、下部ハンドルグリップを握った状態から手首を後方にずらすことで行う。貫通孔付きの突出部位を有す変速制御装置７６の操作は、下部ハンドルグリップを握った状態から親指で行う。貫通孔付きの突出部位を有す照明器具７７、貫通孔付きの突出部位を有すサイクルコンピューター７５の操作は、下部ハンドルグリップ５４を握った状態からは親指で行う。
【０２２５】
さらに２４、７５、７７の操作は、上部ハンドルバーを握った状態から親指、人さし指または中指で行うことも可能である。
【実施例８】
【０２２６】
本実施例８では、用品取り付け装置１をベースとし、１の厚型ステー２１の貫通孔１８へ貫通孔付きの突出部位を有すベル器具７４、貫通孔付きの突出部位を有すサイクルコンピューター７５、貫通孔付きの突出部位を有す変速制御装置７６、貫通孔付きの突出部位を有す照明器具７７、貫通孔付きの突出部位を有すバックミラー７８を設け、変形ハンドル用の多機能用品として形成し、これを変形ハンドルに設けるものである（図２６参照）。以下に構成の詳細を示す。
【０２２７】
用品取り付け用装置１の厚型ステー２１から、利用しない平ステー２２、直角ステー３０、短パイプ状部品２３をとりはずす。
【０２２８】
厚型ステー２１の後方の貫通孔１８へ、貫通孔付きの突出部位を有すベル器具７４をネジ１２、ワッシャ１３、往来ナット１５で下部グリップ寄りに設ける。厚型ステー２１の回動部位の貫通孔１８ａに通したネジ１２をいったん外し、貫通孔付きの突出部位を有すサイクルコンピューター７５と貫通孔付きの突出部位を有すバックミラー７８を回動部位の貫通孔１８ａにネジ１２で設ける。厚型ステー２１の貫通孔１８に、貫通孔付きの突出部位を有す変速制御装置７６をネジ１２、ワッシャ１３、ナット１５で下部グリップ寄りに設ける。厚型ステー２１の前部の貫通孔１８に、貫通孔付きの突出部位を有す照明器具７７をネジ１２、ワッシャ１３、ナット１５でステム寄りに設ける。以上により変形ハンドル用の多機能用品に形成する。
【０２２９】
上記多機能用品の連結状挿入部位２０を変形ハンドル末端部６０に挿入し、さらに、ベル取り付け用の円柱状部位８を水平にした状態とし、長ネジ１０で固定し設ける。
【０２３０】
さらに、設けた多機能用品の調整を行う。貫通孔付きの突出部位を有すサイクルコンピューター７５を、下部ハンドルを握った状態から親指でボタン操作しやすい角度で固定する。貫通孔付きの突出部位を有すベル器具７４を、下部ハンドルグリップ５４を握る手をわずかに後退させるだけで操作できる角度に調整し固定する。貫通孔付きの突出部位を有すバックミラー７８を、走行中において確認容易な角度に調整し固定する。貫通孔付きの突出部位を有す変速制御装置７６を、下部ハンドルグリップ５４を握った状態から親指で操作しやすい角度に調整し固定する。貫通孔付きの突出部位を有す照明器具７７を、前方照明に適した角度に調整し固定する。以上の構成である。
【０２３１】
以下に実施例８での用品の操作方法を示す。
【０２３２】
貫通孔付きの突出部位を有すベル器具７４の操作は、下部ハンドルグリップを握った状態から手首をずらすことで行う。貫通孔付きの突出部位を有す変速制御装置７６の操作は、下部ハンドルグリップを握った状態から親指で行う。貫通孔付きの突出部位を有す照明器具７７、貫通孔付きの突出部位を有すサイクルコンピューター７５の操作も下部ハンドルグリップ５４を握った状態から親指で行う。
【０２３３】
また、２４、７７の操作は、上部ハンドルバーを握った状態から親指、人さし指または中指で行うことも可能である。
【０２３４】
さらにベル７４の操作は、上部ハンドルバーを握った状態からも可能である。
【実施例９】
【０２３５】
本実施例９では、用品取り付け装置１をベースに、前記実施例８内容に示したものと同じ変形ハンドル用の多機能用品形成し、これをＤＨバー５６のハンドル末端部６０に設けるものである（図２８参照）。以下に構成の詳細を示す。
【０２３６】
用品取り付け用装置１の厚型ステー２１から、利用しない平ステー２２、直角ステー３０、短パイプ状部品２３をとりはずす。
【０２３７】
厚型ステー２１の後方の貫通孔１８へ、貫通孔付きの突出部位を有すベル器具７４をネジ１２、ワッシャ１３、往来ナット１５で下部グリップ寄りに設ける。
【０２３８】
厚型ステー２１の回動部位の貫通孔１８ａに通したネジ１２をいったん外し、貫通孔付きの突出部位を有すサイクルコンピューター７５と貫通孔付きの突出部位を有すバックミラー７８を回動部位の貫通孔１８ａにネジ１２で設ける。
【０２３９】
厚型ステー２１の貫通孔１８に、貫通孔付きの突出部位を有す変速制御装置７６をネジ１２、ワッシャ１３、ナット１５で設ける。厚型ステー２１の前部の貫通孔１８に、貫通孔付きの突出部位を有す照明器具７７をネジ１２、ワッシャ１３、ナット１５で設ける。以上のように、変形ハンドル用の多機能用品を形成する。
【０２４０】
上記多機能用品の連結状挿入部位２０をＤＨバー５６のハンドル末端部６０に挿入し、さらに、ベル取り付け用の円柱状部位８を水平にした状態とし、長ネジ１０で固定し設ける。
【０２４１】
さらに、設けた多機能用品の調整を行う。貫通孔付きの突出部位を有すサイクルコンピューター７５を、下部ハンドルを握った状態から親指でボタン操作しやすい角度で固定する。貫通孔付きの突出部位を有すベル器具７４を、下部ハンドルグリップ５４を握る手をわずかに後退させるだけで操作できる角度に調整し固定する。貫通孔付きの突出部位を有すバックミラー７８を、走行中において確認容易な角度に調整し固定する。貫通孔付きの突出部位を有す変速制御装置７６を、下部ハンドルグリップ５４を握った状態から親指で操作しやすい角度に調整し固定する。貫通孔付きの突出部位を有す照明器具７７を、前方照明に適した角度に調整し固定する。
【０２４２】
以下に本実施例９での用品の操作方法を示す。
【０２４３】
貫通孔付きの突出部位を有すベル器具７４の操作は、ＤＨバー５６を握った状態から手首をずらすことで行う。貫通孔付きの突出部位を有す変速制御装置７６の操作は、ＤＨバー５６を握った状態から親指で行う。貫通孔付きの突出部位を有す照明器具７７の操作、貫通孔付きの突出部位を有すサイクルコンピューター７５の操作もＤＨバー５６を握った状態から親指で行う。
【実施例１０】
【０２４４】
本実施例１０では、用品取り付け用装置１をベースに、実施例７内容中に示したものと同じドロップハンドル用の多機能用品を形成し、さらにこの多機能用品に上部カバー８０および下部カバー８１を追加で設け、これをドロップハンドルに設けるものである（図３２、図３３参照）。
【０２４５】
ちなみに、本実施例１０で利用する上部カバー８０とは、用品取り付け用装置１に設けた用品群の上部を覆う形状であり、さらに照明器具の照明部およびサイクルコンピューターの表示部および操作部、変速制御装置の操作部などを上部カバー表面に露出できる露出用開口部８２を複数設けてなるものとする。
【０２４６】
また、本実施例１０で利用する下部カバー８１とは、用品取り付け用装置１に設けた用品群の下部を覆う形状であり、その内部底面に貫通孔付きの突出部７３が設けてあるものとする。以下に実施例１０の構成の詳細を示す。
【０２４７】
まず、用品取り付け用装置１をベースにし、実施例７内容の貫通孔付き突出部位を有した用品を数種設け、ドロップハンドル用の多機能用品として形成する。形成の要領は、前記０２１１、０２１２、０１２３、０２１４、０２１５、０２１６、０２１７に示した通りである。
【０２４８】
下部カバー８１を、前記０１８５の多機能用品の厚型ステー２１および７５、７６、７７の下側を覆うように被せる。さらに、２１の貫通孔１８に、８１内側の貫通孔を有す突出部７３の貫通穴１８を合わせ、ネジ１２、ワッシャ１３、ナット１５で固定する。
【０２４９】
上部カバー８０は、上記の多機能用品の２１、７５、７６、７７、２４を上側から覆うように被せ、さらに下部カバー８１と組み合わせる。この際、上部カバー８０の複数の用品操作部用開口部８２から各用品７５、７６、７７、スイッチ部品２４の操作スイッチをのぞかせるようにしたうえで被せる。貫通孔付きの突出部位を有すバックミラー７８は、取り付け部以外ほとんどカバー外に露出させる。以上によりドロップハンドル用のカバー付き多機能用品を形成する。
【０２５０】
このカバー付き多機能用品の連結状挿入部位２０をドロップハンドル５２のハンドル末端部６０に挿入し、ベル取り付け用の円柱部位８を水平にし、長ネジ１０で固定する。以上の構成である。
【０２５１】
本実施例１０での用品の操作方法を示す。貫通孔付きの突出部位を有すベル器具７４の操作は、下部ハンドルグリップを握った状態から手首をずらすことで行う。貫通孔付きの突出部位を有す変速制御装置７６の操作は、下部ハンドルグリップを握った状態から親指で行う。貫通孔付きの突出部位を有す照明器具７７、貫通孔付きの突出部位を有すサイクルコンピューター７５の操作は、下部ハンドルグリップ５４を握った状態からは親指で行う。
【０２５２】
さらに２４、７５、７７の操作は、上部ハンドルバーを握った状態から親指、人さし指または中指で行うことも可能である。
【実施例１１】
【０２５３】
本実施例１１では、用品取り付け用装置１をベースに、実施例８内容中に示したものと同じ変形ハンドル用の多機能用品を形成し、さらにこの多機能用品に上部カバー８０および下部カバー８１を追加で設け、これを変形ハンドルに設けるものである（図３４、図３５参照）。
【０２５４】
ちなみに、本実施例１１で利用する上部カバー８０とは、用品取り付け用装置１に設けた用品群の上部を覆う形状であり、さらに照明器具の照明部およびサイクルコンピューターの表示部および操作部、変速制御装置の操作部などを上部カバー表面に露出できる露出用開口部８２を複数設けてなるものとする。
【０２５５】
また、本実施例１１で利用する下部カバー８１とは、用品取り付け用装置１に設けた用品群の下部を覆う形状であり、覆うもので内部面に貫通孔付きの突出部７３が設けてあるものでする。以下に実施例１１の構成を示す。
【０２５６】
まず、用品取り付け用装置１をベースにし、実施例８内容の貫通孔付き突出部位を有した用品を数種設け、変形ハンドル用の多機能用品として形成する。形成の要領は、前記０２２３、０２２４に示した通りである。
【０２５７】
下部カバー８１を、前記の多機能用品の厚型ステー２１および７５、７６、７７の下側全体を覆うように被せる。さらに、２１の貫通孔１８に、８１内側の貫通孔を有す突出部７３の貫通穴１８をあわせ、ネジ１２、ワッシャ１３、ナット１５で固定する。
【０２５８】
上部カバー８０は、上記の多機能用品の２１、７５、７６、７７、２４を上側から覆うように被せ、さらに下部カバー８１と組み合わせる。この際、上部カバー８０の複数の用品操作部用開口部８２から各用品７５、７６、７７、スイッチ部品２４の操作スイッチをのぞかせるようにしたうえで被せる。貫通孔付の突出部位を有すバックミラー７８は、取り付け部以外ほとんどカバー外に露出させる。以上により変形ハンドル用のカバー付き多機能用品を形成する。
【０２５９】
この変形ハンドル用のカバー付き多機能用品の連結状挿入部位２０をハンドル末端部６０に挿入し、ベル取り付け用の円柱部位８を水平にし、長ネジ１０で固定する。以上の構成である。
【０２６０】
実施例１１での用品の操作方法を示す。貫通孔付きの突出部位を有すベル器具７４の操作は、下部ハンドルグリップを握った状態から手首をずらすことで行う。貫通孔付きの突出部位を有す変速制御装置７６の操作は、下部ハンドルグリップを握った状態から親指で行う。貫通孔付きの突出部位を有す照明器具７７、貫通孔付きの突出部位を有すサイクルコンピューター７５の操作は、下部ハンドルグリップ５４を握った状態からは親指で行う。
また、２４、７７の操作は、上部ハンドルバーを握った状態から親指、人さし指または中指で行うことも可能である。
【０２６１】
さらに７４の操作は、上部ハンドルバーを握った状態からも可能である。
【実施例１２】
【０２６２】
本実施例１２では、用品取り付け用装置１をベースに、実施例８の内容中に示したものと同じ変形ハンドル用の多機能用品を形成し、さらにこの多機能用品に上部カバー８０および下部カバー８１を追加で設け、ＤＨバー５６に設けるものである（図３６参照）。
【０２６３】
ちなみに、本実施例１２で利用する上部カバー８０とは、用品取り付け用装置１に設けた用品群の上部半分を覆う形状であり、さらに照明器具の照明部およびサイクルコンピューターの表示部および操作部、変速制御装置の操作部などを上部カバー表面に露出できる露出用開口部８２を複数設けてなるものとする。
【０２６４】
また、本実施例１２で利用する下部カバー８１とは、用品取り付け用装置１に設けた用品群の下部を覆う形状であり、覆うもので内部面に貫通孔付きの突出部７３が設けてあるものでする。以下に実施例１２の構成を示す。
【０２６５】
まず、用品取り付け用装置１をベースにし、実施例８内容の貫通孔付き突出部位を有した用品を数種設け、変形ハンドル用の多機能用品として形成する。形成の要領は、前記０２２３、０２２４に示した通りである。
【０２６６】
下部カバー８１を、前記の多機能用品の厚型ステー２１および７５、７６、７７の下側全体を覆うように被せる。さらに、２１の貫通孔１８に、８１内側の貫通孔を有す突出部７３の貫通穴１８をあわせ、ネジ１２、ワッシャ１３、ナット１５で固定する。
【０２６７】
上部カバー８０は、上記の多機能用品の２１、７５、７６、７７、２４を上側から覆うように被せ、さらに下部カバー８１と組み合わせる。この際、上部カバー８０の複数の用品操作部用開口部８２から各用品７５、７６、７７、スイッチ部品２４の操作スイッチをのぞかせるようにしたうえで被せる。貫通孔付の突出部位を有すバックミラー７８は、取り付け部以外ほとんどカバー外に露出させる。以上の構成で変形ハンドル用のカバー付き多機能用品に形成する。
【０２６８】
このカバー付き多機能用品の連結状挿入部位２０をハンドル末端部６０に挿入し、ベル取り付け用の円柱部位８を水平にし、長ネジ１０で固定する。以上が本実施例１２の構成である。  
【０２６９】
本実施例１２の用品の操作方法を示す。
貫通孔付きの突出部位を有すベル器具７４の操作は、ＤＨバーを握った状態から手首をずらすことで行う。貫通孔付きの突出部位を有す変速制御装置７６の操作は、ＤＨバーを握った状態から親指で行う。貫通孔付きの突出部位を有す照明器具７７、貫通孔付きの突出部位を有すサイクルコンピューター７５の操作は、ＤＨバーを握った状態から親指で行う。
【産業上の利用可能性】
【０２７０】
最後に、本発明の実施例１から実施例１２までの共通の補足をのべる。本発明の構成部品であるスイッチ部品２４とは、ロードタイプ自転車用スイッチ部品として使いやすい形態および位置を得ているものである。このスイッチ部品２４は、照明器具の電源入り切りスイッチとしての利用のみならず、電動式変速装置の制御装置のリモコンスイッチ、サイクルコンピューターのリモコンスイッチ、警笛ブザーのリモコンスイッチ、さらにその他の電気用品のリモコンスイッチとして多いに利用できる。スイッチ部品２４は、必要に応じ、貫通孔１８に装着個数を増やし設けることが出来る。
【０２７１】
また、本発明の用品取り付け用装置１の厚型ステー２１は、複数の貫通孔１８を有している。ゆえに装着する用品が外面部に貫通孔付の突出部位を有す構造であれば、ネジ１２およびナット１５で２１の貫通孔１８へ設けることが出来る。実施例７、８、９、１０、１１、１２は、この厚型ステー２１の構造を応用した例である。
【０２７２】
さらに、変形ハンドルおよびＤＨバーは、いずれもハンドルパイプ末端部６０の内部が空洞であり、やや上前方に向いている同形状で用品取り付け用装置１の装着個所としての条件が同じである。（図１３、図１６参照）。
【０２７３】
このことからもわかるように、実施例３の変形ハンドル末端部６０に設けた用品取り付け用装置１へ用品を設けた構成は、そのままＤＨバー末端部６０に容易に設けられることが解かる。
【０２７４】
さらに、実施例４のＤＨバー末端部６０に設けた用品取り付け用装置１へ用品を設けた構成は、そのまま変形ハンドル末端部６０に容易に設けられることが解かる。
【０２７５】
さらに、実施例８の変形ハンドル末端部６０に設けた用品取り付け用装置１へ用品を設けた構成は、そのままＤＨバー末端部６０に容易に設けられることが解かる。
【０２７６】
上記０２７３、０２７４、０２７５の内容は、実施可能であることは明白である。よって、あえてここで実施例とするのは省略とする。
【０２７７】
最後に、本発明の用品取り付け用装置１、および２は、ロードタイプ自転車での用品の操作性を向上し、かつ危険時にもすばやく対応できる自転車を低価によって得ることのできる必要不可欠な部品である。
【図面の簡単な説明】
【０２７８】
【図１】請求項１記載の自転車用品用装置１の前方斜視図。
【図２】請求項１記載の自転車用品用装置１の上面分断図。
【図３】請求項２記載の自転車用品用装置２の前方斜視図。
【図４】連結状パイプ部品２９の分解斜視図。
【図５】自転車用品用装置のスイッチ部品２４。
【図６】自転車用品用装置１を設けたドロップハンドルの後方斜視図。
【図７】自転車用品用装置１を設けたドロップハンドル側面図。
【図８】自転車用品用装置２を設けたドロップハンドルの前方斜視図。
【図９】ドロップハンドルに自転車用品用装置１を設け、ハンドルパイプ装着式の照明器具３５および他の用品群を設けた後方斜視図（実施例１）。
【図１０】ドロップハンドルに自転車用品用装置１を設け、さらにハンドルパイプ装着式の照明器具３５および他の用品群を設けた正面図（実施例１）。
【図１１】ドロップハンドルに自転車用品用装置１を設け、さらにハンドルパイプ装着式の照明器具３５および他の用品群を設け、その操作を示した上面図（実施例１）。
【図１２】ドロップハンドルに自転車用品用装置１を設け、さらにハンドルパイプ装着式の照明器具３５および他の用品群設け、これの操作を示した側面図（実施例１）。
【図１３】ドロップハンドルに自転車用品用装置１を設け、さらにステー付き照明器具３６ａおよび他の用品群を設けた後方斜視図（実施例２）。
【図１４】ドロップハンドルに自転車用品用装置１を設け、さらにステー付き照明器具３６ａおよび他の用品群を設けた正面図（実施例２）。
【図１５】変形ハンドルに自転車用品用装置１を設けた後方斜視図。
【図１６】自転車用品用装置１を変形ハンドルに設け、ハンドルパイプ装着式の照明器具３５およびその他の用品群を設けた後方斜視図（実施例３）。
【図１７】自転車用品用装置１を変形ハンドルに設け、ハンドルパイプ装着式の照明器具３５およびその他の用品群を設けた正面図（実施例３）。
【図１８】自転車用品用装置１をＤＨバーに設けた後方斜視図。
【図１９】自転車用品用装置１をＤＨバーに設け、ステー付き照明部品３６ａおよびその他の用品群を設けた後方斜視図（実施例４）。
【図２０】自転車用品用装置２をドロップハンドルに設け、さらに用品群を設けた正面図（実施例５）。
【図２１】自転車用品用装置２をドロップハンドルに設け、さらに用品群を設けた上面図（実施例５）。
【図２２】自転車用品用装置２を変形ハンドルに設け、さらに用品群を設けた後方斜視図（実施例６）。
【図２３】自転車用品用装置２を変形ハンドルに設け、さらに用品群を設けた上面図（実施例６）。
【図２４】変形ハンドルに自転車用品用装置２を設け、さらに用品群を設けた正面図（実施例６）。
【図２５】多機能用品の形態でドロップハンドルに設けた後方斜視図  （実施例７）。
【図２６】多機能用品の形態で変形ハンドルに設けた後方斜視図の後方斜視図（実施例８）。
【図２７】実施例１を施した自転車と、乗車員を示す全体正面図（実施例１）。
【図２８】多機能用品の形態でＤＨバーに設けた後方斜視図（実施例９）。
【図２９】従来方式で自転車用品を装着した自転車と、その用品を操作する乗車員の体勢を示す全体正面図。
【図３０】従来方式で自転車用品を装着した自転車と、その用品を操作する乗車員の体勢を示す側面図。
【図３１】ＤＨバー付き変形ハンドル車と、乗車員の体勢を示す全体側面図。
【図３２】ドロップハンドル用の多機能用品と、これに設ける上部カバーおよび下部カバーの後方斜視図（実施例１０）。
【図３３】多機能用品にカバーを設け、更にこれをドロップハンドルに設けた後方斜視図（実施例１０）。
【図３４】変形ハンドル用の多機能用品と、これに設ける上部カバーおよび下部カバーの後方斜視図（実施例１１）。
【図３５】多機能用品にカバーを設け、更にこれを変形ハンドルに設けた後方斜視図（実施例１１）。
【図３６】カバー付き多機能用品をＤＨバーに設けた後方斜視図（実施例１２）。
【符号の説明】
【０２７９】
１、請求項１にしめす用品取り付け用装置１
２、請求項２にしめす用品取り付け用装置２
３、Ｌ字型部品
４、円柱状挿入部位
５、斜めカット状の面
６、球体状部位
７、円柱状嵌合部品
８、ベル取り付け用の円柱状部位
９、半球状部位
１０、長ネジ
１１、厚型ステー取り付け用部位
１２、ネジ
１３、ワッシャ
１４、変形ナット
１５、ナット
１６、マッサージ用部品
１６a、半球状の小型突起物
１７、パイプ部位
１８、貫通孔
１８a、回動部位の貫通孔
１９、雌ネジ孔
２０、連結状挿入部位
２１、厚型ステー
２２、平ステー
２３、短パイプ部品
２４、スイッチ部品
２５、弾性ステー部位
２６、変形ナット周り止め凹部
２７、入り切りスイッチ
２８、配線コード
２９、連結状パイプ部品
２９a、連結用ステー付きパイプ部品凹
２９ｂ、連結用ステー付きパイプ部品凸
２９ｃ、幅調節用パイプ部位
３０、直角ステー
【０２８０】
３１、サイクルコンピューター
３２、ベル
３３、ベルレバー
３４、ハンドル端装着式のバックミラー
３５、ハンドルパイプ装着型の照明器具
３６、ダイナモ発電式ライト
３６a、ステー付照明部品
３６b、ダイナモ発電機部品
３７、ハンドル端取り付け式のバックミラー
３８、一般自転車用バックミラー
３９、フロントフェンダーライト
４０、フロントキャリアライト
４１、ＬＥＤシグナル
４２、リフレクター
４３、変速制御装置
４４、フロントハブ装着式のライト
４５、フロントフォーク
４６、ドロップハンドル自転車
４７、変形ハンドル自転車
４８、フロントタイヤ
４９、フロントハブ
５０、フロントフェンダー
５１、ハンドルステム
５２、ドロップハンドル
５３、変形ハンドル
５４、下部ハンドルグリップ
５５、上部ハンドルバー
５６、ＤＨバー
５７、肘受け
５８、ブレーキレバー
５９、ブレーキレバー支持部
６０、ハンドル末端部
【０２８１】
６１、乗車員
６２、上体
６３、頭部
６４、目
６５、腕
６６、手
６７、親指
６８、手首
６９、往来装着方式の用品を操作する手
７０、ベルレバーの可動範囲
７１、ベル操作時の手の移動範囲および方向
７２、本発明においてベルレバーの可動に用いる手の部位
７３、貫通孔を有す突出部
７４、貫通孔付きの突出部位を有すベル器具
７５、貫通孔付きの突出部位を有すサイクルコンピューター
７６、貫通孔付きの突出部位を有す変速制御装置
７７、貫通孔付きの突出部位を有す照明器具
７８、貫通孔付きの突出部位を有すバックミラー
７９、ワイヤーケーブル
８０、上部カバー
８１、下部カバー
８２、用品露出用開口部
【図１】
2006205815.tif 000002
【図２】
2006205815.tif 000003
【図３】
2006205815.tif 000004
【図４】
2006205815.tif 000005
【図５】
2006205815.tif 000006
【図６】
2006205815.tif 000007
【図７】
2006205815.tif 000008
【図８】
2006205815.tif 000009
【図９】
2006205815.tif 000010
【図１０】
2006205815.tif 000011
【図１１】
2006205815.tif 000012
【図１２】
2006205815.tif 000013
【図１３】
2006205815.tif 000014
【図１４】
2006205815.tif 000015
【図１５】
2006205815.tif 000016
【図１６】
2006205815.tif 000017
【図１７】
2006205815.tif 000018
【図１８】
2006205815.tif 000019
【図１９】
2006205815.tif 000020
【図２０】
2006205815.tif 000021
【図２１】
2006205815.tif 000022
【図２２】
2006205815.tif 000023
【図２３】
2006205815.tif 000024
【図２４】
2006205815.tif 000025
【図２５】
2006205815.tif 000026
【図２６】
2006205815.tif 000027
【図２７】
2006205815.tif 000028
【図２８】
2006205815.tif 000029
【図２９】
2006205815.tif 000030
【図３０】
2006205815.tif 000031
【図３１】
2006205815.tif 000032
【図３２】
2006205815.tif 000033
【図３３】
2006205815.tif 000034
【図３４】
2006205815.tif 000035
【図３５】
2006205815.tif 000036
【図３６】
2006205815.tif 000037